(57)【要約】【課題】コスト面で有利であって作業性の向上を図ることができる光ファイバ布設用管路部材および光ファイバ布設方法を提供する。【解決手段】光ファイバ布設用管路部材１０は、垂直方向に配置されて複数の光ファイバが挿通され、光ファイバを所定位置から水平方向に引き出すものであり、複数の光ファイバを挿通可能な複数の光ファイバ挿通孔１３を外被１１内に一体に有している。そして、光ファイバ挿通孔１３の位置が判別可能な構成を備えている。【選択図】図１
2009134059.tif 000002
【特許請求の範囲】
【請求項１】
挿通した光ファイバを所定位置から引き出す、若しくは光ファイバを所定位置から押し込んで挿通する光ファイバ布設用管路部材であって、
前記光ファイバを挿通可能な複数の光ファイバ挿通孔を外被内に有し、前記外被の外側から該光ファイバ挿通孔の位置が判別可能なことを特徴とする光ファイバ布設用管路部材。
【請求項２】
前記外被上に突部を有していることを特徴とする請求項１記載の光ファイバ布設用管路部材。
【請求項３】
前記光ファイバ挿通孔を表示する表示部を有していることを特徴とする請求項１または２記載の光ファイバ布設用管路部材。
【請求項４】
前記外被が透明または半透明であることを特徴とする請求項１乃至請求項３のいずれか１項記載の光ファイバ布設用管路部材。
【請求項５】
前記光ファイバ挿通孔内に牽引用紐部材が収容されていることを特徴とする請求項１乃至４のいずれか１項記載の光ファイバ布設用管路部材。
【請求項６】
前記光ファイバ挿通孔が前記外被の径方向に長く形成されていることを特徴とする請求項１乃至５のいずれか１項記載の光ファイバ布設用管路部材。
【請求項７】
請求項１乃至６のいずれか１項記載の光ファイバ布設用管路部材を垂直方向に配置し、インドアケーブルを布設する前記光ファイバ布設用管路部材の所定位置に開口を形成し、該開口から前記インドアケーブルを引き出す、若しくは押し込むことを特徴とする光ファイバ布設方法。
【発明の詳細な説明】
【技術分野】
【０００１】
本発明は、例えば階層された集合住宅等に電話回線用の光ファイバを布設するのに用いる光ファイバ布設用管路部材および光ファイバ布設方法に関する。
【背景技術】
【０００２】
従来の光ファイバ布設用管路部材の一例として、図６に示すように、複数の円筒形状のパイプ１０１がシース１０２の内側に収容された光ファイバ布設用管路部材１００が知られている（例えば、特許文献１参照）。
【０００３】
上記特許文献１に開示された光ファイバ布設用管路部材１００は、それぞれのパイプ１０１の間に介在物１０３が充填されて押え巻き１０４が巻き付けられた上にシース１０２が施されている。そして、屋内に布設されてから、地下用の管路部材に接続され、共用棟からパイプ１０１内に空気を吹き込みながら光ファイバユニットを送り、布設階に設置されているインドアケーブルに光ファイバケーブルを接続するようにしている。
【０００４】
【特許文献１】特開２００３−１５００３号公報（図９）
【発明の開示】
【発明が解決しようとする課題】
【０００５】
ところが、上記特許文献１に開示された光ファイバ布設用管路部材１００では、別体の複数のパイプ１０１をシース１０２内に組み込んでいるため、部品点数が多くなるとともに、光ファイバユニットを挿通するパイプ１０１を特定して引き出し用の開口を設け孔開け作業が必要であり作業性の面で効率化が求められていた。
【０００６】
また、布設時に空気を吹き込むための圧送ヘッド等の設備を必要とするため、布設工事が大規模になり、コスト面で改善の余地を残していた。
【０００７】
本発明は、上述した事情に鑑みてなされたものであり、その目的は、コスト面で有利であり、作業性の向上を図ることができる光ファイバ布設用管路部材および光ファイバ布設方法を提供することにある。
【課題を解決するための手段】
【０００８】
上記課題を解決することのできる本発明に係る光ファイバ布設用管路部材は、複数の光ファイバが挿通でき、該光ファイバを所定位置から引き出す、若しくは光ファイバを所定位置から押し込む光ファイバ布設用管路部材であって、前記複数の光ファイバを挿通可能な複数の光ファイバ挿通孔を外被内に有し、前記外被の外側から該光ファイバ挿通孔の位置を判別可能なことを特徴としている。
【０００９】
上記構成の光ファイバ布設用管路部材によれば、外被内に形成されている光ファイバ挿通孔の位置が外側から判別可能であるため、階層された集合住宅等に光ファイバを布設する際に、光ファイバを引き出す、若しくは押し込むための開口を形成する場所を簡単に判別することができるので、作業性の向上を図ることができる。
【００１０】
また、本発明に係る光ファイバ布設用管路部材においては、前記外被上に突部を有していることが好ましい。
【００１１】
上記構成の光ファイバ布設用管路部材によれば、突部を光ファイバ挿通孔に対応した位置に配置することで、外被上から光ファイバ挿通孔の位置を確定できるため、開口を形成する場所が特定でき、所定の光ファイバの引き出し、若しくは押し込みを簡単に行うことができる。
【００１２】
また、本発明に係る光ファイバ布設用管路部材においては、前記光ファイバ挿通孔を表示する表示部を有していることが好ましい。
【００１３】
上記構成の光ファイバ布設用管路部材によれば、外被上の表示部の表示で光ファイバ挿通孔を判別できるため、開口を形成する場所を外被上から容易に確定することができる。
【００１４】
また、本発明に係る光ファイバ布設用管路部材においては、前記外被が透明または半透明であることが好ましい。
【００１５】
上記構成の光ファイバ布設用管路部材によれば、透明または半透明の外被上から開口を形成する場所を容易に確定することができるとともに、光ファイバが光ファイバ挿通孔に挿通されているか否かおよび挿通されている光ファイバを容易に確定することができる。
【００１６】
また、本発明に係る光ファイバ布設用管路部材においては、前記光ファイバ挿通孔内に牽引用紐部材が収容されていることが好ましい。
【００１７】
上記構成の光ファイバ布設用管路部材によれば、光ファイバを所定階で引き出す際に、光ファイバを牽引用紐部材に結ぶ等しておけば、牽引用紐部材を引っ張るだけで、所望の光ファイバを簡単に引き出す、若しくは押し込むことができる。
【００１８】
また、本発明に係る光ファイバ布設用管路部材においては、前記光ファイバ挿通孔が前記外被の径方向に長く形成されていることが好ましい。
【００１９】
上記構成の光ファイバ布設用管路部材によれば、光ファイバ挿通孔が外被の径方向に長いため、円形の光ファイバ挿通孔よりも多くのインドアケーブル等を収容することができる。
【００２０】
また、上記課題を解決することのできる本発明に係る光ファイバ布設方法は、複数の光ファイバが挿通でき、該光ファイバを所定位置から水平方向に引き出す、若しくは押し込む光ファイバ布設用管路部材による光ファイバ布設方法であって、前記光ファイバ挿通孔の位置を判別可能な光ファイバ布設用管路部材を垂直方向に配置し、インドアケーブルを布設する前記光ファイバ布設用管路部材の所定位置に開口を形成し、該開口から前記インドアケーブルを引き出す、若しくは押し込んでインドアケーブルを布設することを特徴としている。
【００２１】
上記構成の光ファイバ布設方法によれば、光ファイバ挿通孔の位置を判別可能であり、階層された集合住宅等に布設した後に、その光ファイバ挿通孔の位置に開口を形成してインドアケーブルを挿通することで、インドアケーブルを極めて簡単に布設することができ、作業性の向上を図ることができる。
【発明の効果】
【００２２】
本発明に係る光ファイバ布設用管路部材および光ファイバ布設方法によれば、コスト面で有利であり、作業性の向上を図ることができる光ファイバ布設用管路部材および光ファイバ布設方法を提供できる。
【発明を実施するための最良の形態】
【００２３】
以下、図を参照して本発明の複数の好適な実施形態を説明する。
【００２４】
（第１実施形態）
図１〜図３は本発明に係る光ファイバ布設用管路部材および光ファイバ布設方法の第１実施形態を示すもので、図１は本発明の第１実施形態に係る光ファイバ布設用管路部材の一部破断外観斜視図、図２は本発明の第１実施形態に係る光ファイバ布設方法を説明する一部破断外観斜視図、図３は本発明に係る光ファイバ布設用管路部材の変形例の一部破断外観斜視図である。
【００２５】
図１に示すように、本発明の第１実施形態である光ファイバ布設用管路部材部材１０は、外被１１内に、テンションメンバ１２と、複数の６個の光ファイバ挿通孔１３と、光ファイバ挿通孔１３と同数の６本の牽引用紐部材１４と、を備えている。
【００２６】
外被１１は、透明や半透明のポリエチレンやポリ塩化ビニル等の樹脂材を素材として略円柱形状に押出し成形されてなる。また、外被１１は、光ファイバ挿通孔１３の位置に対応したものとして湾曲形状をなす６個の突部１５が軸方向に沿って形成されており、突部１５のそれぞれに、６個の光ファイバ挿通孔１３のいずれかを表示するための番号である表示部１６が、軸方向に予め定められた間隔で設置されている。
【００２７】
テンションメンバ１２は、７本の抗張力体からなり、外被１１の中央部に配置され、外被１１の軸方向に沿って組み込まれている。
【００２８】
光ファイバ挿通孔１３は、外被１１の軸方向に丸孔形状をなして貫通形成されており、外被１１の円周方向に等間隔の位置に配置されている。光ファイバ挿通孔１３は、表示部１６に対応して外被１１の各々突部１５の内側に配置されている。そのため、６個の光ファイバ挿通孔１３は、外被１１上の表示部１６によって、外被１１の軸方向のいずれの位置でも判別できるようになっている。
【００２９】
牽引用紐部材１４は、繊維等を用いて成形されており、押出し成形によって外被１１内に光ファイバ挿通孔１３が形成された後、下端部から上端部まで挿通されており、上端部において、例えば外被１１側に掛止されている。なお、この牽引用紐部材１４は、押出し成形によって外被１１内に光ファイバ挿通孔１３が形成される際に、光ファイバ挿通孔１３の内周部等に一体的に添わせて組み付けられても良い。
【００３０】
次に、図２を参照して、本発明に係る光ファイバ布設方法について説明する。
【００３１】
先ず、新築の階層状集合住宅へ布設する場合、建設時に、建物内に光ファイバ布設用管路部材１０を垂直方向に予め布設しておき、光ファイバ布設用管路部材１０の下端部で、最下層の配電盤から引き出され、例えば２番の表示部１６のある光ファイバ挿通孔１３に挿通されるインドアケーブル５０を牽引用紐部材１４の下端部に結束しておく。
【００３２】
そして、光ファイバの布設が必要な階で、表示部１６の２番部分の外被１１のみを除去して開口１７を形成し、除去されている２番部分の光ファイバ挿通孔１３から牽引用紐部材１４を引き出す。これにより、２番部分の光ファイバ挿通孔１３に挿通されている所望のインドアケーブル５０が引き出され布設される。
【００３３】
これとは異なり、既存の階層状集合住宅に布設する場合は、パイプスペース等に、最下層から最上層まで光ファイバ布設用管路部材１０を垂直方向に挿通させ、接続が必要な階で、上記同様に表示部１６の２番部分の外被１１のみを除去して開口１７を形成する。そして、除去されている２番部分の光ファイバ挿通孔１３から牽引用紐部材１４を引き出すことで、２番部分の光ファイバ挿通孔１３に挿通されている所望のインドアケーブル５０が引き出され、そのまま宅内に引き込むことができる。また、その逆に宅内側から持って来たインドアケーブル５０を開口１７に押し込んで垂直方向にインドアケーブル５０を布設することもできる。
【００３４】
このとき、外被１１が透明または半透明であること、突部１５の２番の表示部１６によって２番部分の光ファイバ挿通孔１３を表示していること等により、その光ファイバ挿通孔１３に挿通されているインドアケーブル５０を外被１１上から簡単に判別して確定することができる。そして、確定した光ファイバ挿通孔１３の牽引用紐部材１４を引き出すだけで、所望のインドアケーブル５０を引き出すことができる。
【００３５】
なお、上記とは逆に除去されている２番部分の光ファイバ挿通孔１３から引き出した牽引用紐部材１４をインドアケーブルの端部に結束させてから、下端部に引き込むようにしても良い。
【００３６】
次に、図３を参照して、本発明に係る光ファイバ布設用管路部材の変形例について説明する。
【００３７】
図３に示すように、本変形例では、外被１１に、１２個の光ファイバ挿通孔１３の位置に対応したものとして湾曲形状をなす１２個の突部１５が軸方向に沿って形成されている。この光ファイバ挿通孔１３は、外被１１の径方向に長孔形状に貫通形成されている。
【００３８】
本変形例によれば、光ファイバ挿通孔１３が長尺状に形成されるため、複数の光ファイバテープ心線等を収容することで、大容量の通信に適用することができる。
【００３９】
以上説明したように、本発明の第１実施形態に係る光ファイバ布設用管路部材１０によれば、光ファイバ挿通孔１３が外被１１内に一体成形されているため、従来のもののような別体のパイプを必要としないので、コスト面で有利となる。また、光ファイバ挿通孔１３のそれぞれを判別可能であるため、階層された集合住宅等に布設した後、その光ファイバ挿通孔１３に挿通されているインドアケーブル５０を簡単に判別することができるので、作業性の向上を図ることができる。
【００４０】
また、第１実施形態に係る光ファイバ布設用管路部材１０によれば、突部１５を光ファイバ挿通孔１３に対応した位置に配置しているため、外被１１上から光ファイバ挿通孔１３の位置を容易に確定できる。このため、所定のインドアケーブル５０の引き出しを簡単に行うことができる。
【００４１】
また、第１実施形態に係る光ファイバ布設用管路部材１０によれば、外被１１上の表示部１６の表示で光ファイバ挿通孔１３を判別できるため、インドアケーブル５０が挿通されている光ファイバ挿通孔１３を外被１１上から容易に確定することができる。
【００４２】
また、第１実施形態に係る光ファイバ布設用管路部材１０によれば、透明または半透明の外被１１上から、インドアケーブル５０が光ファイバ挿通孔１３に挿通されているか否かおよび挿通されているインドアケーブル５０を容易に確定することができる。
【００４３】
また、第１実施形態に係る光ファイバ布設用管路部材１０によれば、インドアケーブル５０を所定の位置で引き出す際に、インドアケーブル５０を牽引用紐部材１４に結束しておくことで、牽引用紐部材１４を引っ張るだけで、所望のインドアケーブル５０を簡単に引き出すことができる。
【００４４】
また、第１実施形態に係る光ファイバ布設用管路部材１０によれば、光ファイバ挿通孔１３が外被１１の径方向に長いため、複数のインドアケーブル等を収容することができる。
【００４５】
また、第１実施形態に係る光ファイバ布設方法によれば、光ファイバ挿通孔１３のそれぞれを判別可能な光ファイバ布設用管路部材１０を用いることで、階層された集合住宅等に布設した後に、その光ファイバ挿通孔１３の位置に開口を形成してインドアケーブル５０を挿通することで、インドアケーブル５０を極めて簡単に布設することができ、作業性の向上を図ることができる。
【００４６】
（第２実施形態）
次に、図４を参照して、本発明に係る光ファイバ布設用管路部材および光ファイバ布設方法の第２実施形態について説明する。図４は本発明の第２実施形態に係る光ファイバ布設用管路部材の一部破断外観斜視図である。なお、以下の各実施形態において、上述した第１実施形態と重複する構成要素や機能的に同様な構成要素については、図中に同一符号あるいは相当符号を付することによって説明を簡略化あるいは省略する。
【００４７】
図４に示すように、本発明の第２実施形態である光ファイバ布設用管路部材３０は、光ファイバ挿通孔に相当する６個の光ファイバ収容溝３２を有するスロット３１が外被１１によって覆われている。
【００４８】
スロット３１は、例えばポリエチレン等の樹脂材料を用いて全体として六角形の軸形状に形成されており、中央部にテンションメンバ１２を収納し、外周部に６個の光ファイバ収容溝３２を有する。光ファイバ収容溝３２は、スロット３１の円周方向に等間隔にして、軸方向に沿って形成されており、表示部１６に対応した位置に配置されている。
【００４９】
第２実施形態の光ファイバ布設用管路部材３０を用いた光ファイバ布設方法は、新築の階層状集合住宅へ布設する場合、建設時に、建物内に光ファイバ布設用管路部材３０を垂直方向に予め布設しておく。そして、光ファイバ布設用管路部材３０の下端部において、最下層の配電盤から引き出されていて、例えば２番の表示部１６のある光ファイバ収容溝３２に挿通されるインドアケーブル５０に牽引用紐部材１４の下端部を結束しておく。
【００５０】
そして、光ファイバを布設する階において、例えば表示部１６の２番部分の外被１１のみを除去して開口１７を形成し、除去されている２番部分の光ファイバ収容溝３２から牽引用紐部材１４を引き出す。これにより、２番部分の光ファイバ収容溝３２に挿通されている所望のインドアケーブル５０が引き出され布設される。既存の階層状集合住宅に布設する場合も、上記と同様にして布設工事が行われる。
【００５１】
第２実施形態に係る光ファイバ布設用管路部材３０は、上述した第１実施形態と同様の作用効果を奏するため、それらの説明は省略されるが、特に、本実施形態によれば、既存のスロット３１を内蔵しているため、成形時にスロット３１上に外被１１を押出し成形するだけで良く、製造工程の簡略化を図ることができる。
【００５２】
（第３実施形態）
次に、図５を参照して、本発明に係る光ファイバ布設用管路部材および光ファイバ布設方法の第３実施形態について説明する。図５は本発明の第３実施形態に係る光ファイバ布設用管路部材の一部破断外観斜視図である。
【００５３】
図５に示すように、本発明の第３実施形態である光ファイバ布設用管路部材４０は、光ファイバ収容溝３２を有するスロット３１の外周に粘着テープ４１が多層にわたって施されている。そして、スロット３１の光ファイバ収容溝３２内に表示部１６が表示されている。なお、この粘着テープ４１が透明または半透明であれば、表示部１６を容易に確認することができる。
【００５４】
第３実施形態の光ファイバ布設用管路部材４０を用いた光ファイバ布設方法は、新築の階層状集合住宅へ布設する場合、建設時に、建物内に光ファイバ布設用管路部材４０を垂直方向に予め布設しておく。そして、光ファイバ布設用管路部材４０の下端部において、最下層の配電盤から引き出され、例えば２番の表示部１６のある光ファイバ収容溝３２に挿通されるインドアケーブル５０に牽引用紐部材１４の下端部を結束しておく。
【００５５】
そして、光ファイバの布設する階において、粘着テープ４１を除去し、例えば２番部分の光ファイバ収容溝３２から牽引用紐部材１４を引き出す。これにより、２番部分の光ファイバ収容溝３２に挿通されている所望のインドアケーブル５０が引き出され布設される。既存の階層状集合住宅に布設する場合も、上記と同様にして布設工事が行われる。
【００５６】
第３実施形態に係る光ファイバ布設用管路部材４０は、上述した第１実施形態と同様の作用効果を奏するために、それらの説明は省略されるが、特に、本実施形態によれば、スロット３１を内蔵し、粘着テープ４１が施されているため、開口を形成し易く、作業性の向上を図ることができる。
【００５７】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００５８】
【図１】本発明の第１実施形態に係る光ファイバ布設用管路部材の一部破断外観斜視図である。
【図２】本発明の第１実施形態に係る光ファイバ布設方法を説明する一部破断外観斜視図である。
【図３】本発明に係る光ファイバ布設用管路部材の変形例の一部破断外観斜視図である。
【図４】本発明の第２実施形態に係る光ファイバ布設用管路部材の一部破断外観斜視図である。
【図５】本発明の第３実施形態に係る光ファイバ布設用管路部材の一部破断外観斜視図である。
【図６】従来の光ファイバ布設用管路部材の断面図である。
【符号の説明】
【００５９】
１０    光ファイバ布設用管路部材
１１    外被
１３    光ファイバ挿通孔
１４    牽引用紐部材
１５    突部
１６    表示部
３０    光ファイバ布設用管路部材
３２    光ファイバ収容溝（光ファイバ挿通孔）
４０    光ファイバ布設用管路部材
５０    インドアケーブル
【図１】
2009134059.tif 000003
【図２】
2009134059.tif 000004
【図３】
2009134059.tif 000005
【図４】
2009134059.tif 000006
【図５】
2009134059.tif 000007
【図６】
2009134059.tif 000008